(57)【要約】【課題】地震発生に際して転倒することがなく、位牌や仏壇などの落下を阻止する耐震仏壇を提供する。【解決手段】台座２上に部本体１を載置保持せしめた仏壇において、本体下部の上台１ａ上部に摺動板３を前後に摺動可能かつ挿脱自在に収納する空洞部を形成して前記摺動板３を収納せしめてなると共に、上記上台１ａと台座２上部の下台２ａに、上台と下台上面を上下貫通してねじ止着穴を夫々少なくとも左右の２個所に対向して設け、ねじを該ねじ止着穴に挿通固定することにより上台と下台上面を止着可能ならしめる一方、台座２下部の前面の台板上に設けられた引き違い状地袋戸の底部中心部前後にダボを設け、地袋戸底面の溝穴に前記ダボを夫々嵌入せしめてなる耐震仏壇である。【選択図】    図１
0003105643.tif 000002
【実用新案登録請求の範囲】
【請求項１】
台座上に仏壇本体を載置保持せしめた仏壇において、本体下部の上台上部に摺動板を前後に摺動可能かつ挿脱自在に収納する空洞部を形成して、前記摺動板を収納せしめてなると共に、上記上台と台座上部の下台に、上台と下台面を上下貫通してねじ止着穴を夫々少なくとも左右の２箇所に対向して設け、ねじを該ねじ止着穴に挿着固定することにより上台と下台上面を止着可能ならしめる一方、台座下部前面の台板上に設けられた左右引き違い状地袋戸の底部中心部前後にダボを設け、地袋戸底面の溝穴に前記ダボを夫々嵌入せしめてなることを特徴とする耐震仏壇。
【考案の詳細な説明】
【技術分野】
【０００１】
本発明は地震が発生しても転倒することを阻止せしめた耐震仏壇に関するものである。
【背景技術】
【０００２】
仏壇には通常、位牌やローソク立て,  仏像等が収納されており、地震が発生した際にはそれら仏壇内に収められた位牌や仏像,  ローソク立て等が転倒したり、仏壇から落下して位牌や仏壇を傷つけたり、特にローソク立てが転倒した場合には燈明がついていると火災の原因となる危険性がある。
【０００３】
そこで、このような地震発生時の仏壇内のものの転倒や落下するのを防止するため防震ゴムを利用し、２枚のベニヤ板の間に防震ゴムを挟み込んで免震ユニットを構成し、これをノンスリップシートの上に水平になるようにして置き、この上にハカマが床から少し離れるようにして仏壇を載せて置くことが提案されている。(例えば特許文献１参照)
【特許文献１】特開２００１−０３７６１８号公報
【考案の開示】
【考案が解決しようとする課題】
【０００４】
しかし、上記免震ユニット構造は、防震ゴムを挟み込んだ特別な部材を使用するため、該部材の製作と、これを配置するための作業が必要となって構成が複雑となることを免れない。
【０００５】
本考案は上述の如き実状に対処し、より簡単に耐震構造を得ることを考究し、仏壇本体と台座とをビス又はねじ(以下、単に総称してねじと云う)により固定せしめることを見出すことにより、地震発生時における仏壇の転倒を阻止し、位牌や仏像が仏壇から落下するのを防止することを目的とするものである。
【課題を解決するための手段】
【０００６】
即ち、上記目的に適合する本考案の特徴は、台座上に仏壇本体を載置保持せしめた仏壇において、本体下部の上台上部に摺動板を前後に摺動可能かつ挿脱自在に収納する空洞部を形成して摺動板を収納せしめてなると共に、上記上台と台座上部の下台に、上台と下台上面を上下貫通してねじ止着穴を夫々、少なくとも左右の２箇所に対向して設け、ねじを該ねじ止着穴に挿通することにより上台と下台を止着可能ならしめる一方、台座下部前面の台板上に設けられた引き違い状地袋戸の底部中心部前後にダボを設け、地袋戸底面の溝穴に前記ダボを夫々嵌入せしめてなる耐震仏壇である。
【０００７】
なお、仏壇内に吊灯籠を設ける場合は、照明取り替えのため該灯籠の底板を後方へスライド可能とすることが好適である
上記の如き仏壇は、地震発生時においても上部の仏壇本体と、下部の台座がねじ止着により一体化しているため、安定して仏壇本体が転倒することがなく、しかも、台座の地袋戸もダボ等の設置により係止されているため、より安定し、動揺が阻止される。
【考案の効果】
【０００８】
本考案は上記構造により仏壇本体と下部の台座とをねじ止着により固定しておくだけで頗る簡単であり、とりわけ、上部の仏壇本体と下部の台座が一体に固着されているため、地震発生時の揺れによる仏壇本体と台座との分離ならびに大きなずれも起こらず、耐震性が極めて良好である。
【考案を実施するための最良の形態】
【０００９】
以下、更に添付図面に基づいて本考案仏壇の具体的実施の形態を説明する。
【００１０】
図１,  図２は本考案に係る仏壇の１例を示し、図において１は仏壇本体、２は台座で、台座２の上部下台２ａ上面上に仏壇本体１下部の上台１ａ下面が載置保持されている。
【００１１】
そして、上記構造において、仏壇本体１の下部で上台１ａの上部に空洞が設けられていて、該空洞には摺動板３が前後に摺動可能かつ挿脱可能に収納されている。
【００１２】
この摺動板３は後述する上台１ａと下台２ａとを貫通して止着するねじ４を装着する作業のためのものであり、摺動板３を空洞より抜き出して、該空洞内においてねじを図３の上台１ａ,  下台２ａのねじ止着穴４ａ,  ４´ａを通して差し込み、締着することによって確実に止着し、仏壇本体１と台座２とを一体的となしている。
【００１３】
この上台１ａと下台２ａのねじによる止着は本考案の重要な構成であり、通常、図３に示すように少なくとも左右２個所で止着するのが好適であり、１個所のみでは地震発生時の安定性を充分に得ることは難しい。
【００１４】
図中、５は台座２下部の台板６上に設けられた地袋戸であり、引き違い状に作られており、台板６上の前面中央部前後にダボ７が設けられていて、上記地袋戸５底面の溝穴内にダボ７が嵌入されて地袋戸５の引き違い摺動を可能ならしめると共に、ダボ７の位置で確実に係止されるようになっている。
【００１５】
この場合、摺動する台板６上の面は平滑面となって、美観を保持している。
【００１６】
また、図示例では仏壇本体１内部の上部に左右一対の吊灯籠８が設けられているが、吊灯籠８を設けるときは吊灯籠の底板９部分を横方向にスライド可能として内部の照明を随時、取り替え得るようにするのが好ましい。
【００１７】
勿論、これら灯籠は地震発生時等には随時、取り外し可能であることが有利である。
【００１８】
本考案仏壇は、以上のように構成されたものであり、仏壇本体１の下部の空洞内に収納されている摺動板５を一旦、空洞内より取り出し、該空洞上台１ａと台座上部の下板２ａに設けられている夫々のねじ止着穴４ａ,  ４´ａ内にねじ４を差し込んで締固着した後、摺動板３を空洞内に収納し、仏壇本体１と台座２を固定することができ、ねじ固定作業を容易に行うことができる。
【００１９】
かくして、両者は一体となり、地震発生時においても移動したり、分離転倒したりすることがなく、仏像,  ローソク立て等の転倒も阻止することができる。
【００２０】
また、地袋戸５もダボ７に係止されることにより、確実に閉止されガタツキ等を生ずることがない。
【００２１】
以上のような点から本考案は地震発生に備えた耐震仏壇として頗る有効な仏壇である。
【図面の簡単な説明】
【００２２】
【図１】本考案仏壇の１例を示す正面図である。
【図２】同上側面図である。
【図３】上台と下台のねじ止着穴の位置を示す図で、(イ)は上台、(ロ)は下台である。
【図４】吊灯籠側面図である。
【符号の説明】
【００２３】
１：仏壇本体
１ａ：上台
２：台座
２ａ：下台
３：摺動板
４：ねじ
５：地袋戸
７：ダボ
８：吊灯籠
【図１】
0003105643.tif 000003
【図２】
0003105643.tif 000004
【図３】
0003105643.tif 000005
【図４】
0003105643.tif 000006